(57)【特許請求の範囲】
【請求項１】
魚釣りに用いる釣竿であって、
竿体と、
前記竿体が貫通した状態で前記竿体の周面を軸方向に滑動自在に配置されるスライドリングと、
軸方向に間隔を隔てて前記竿体の周面に配置され固定されている複数の釣糸ガイドとを備え、
前記スライドリングは前記隣接する釣糸ガイド間に複数個配置されており、
前記複数のスライドリングは相互に当接する側にそれぞれ同極の磁性を有していることを特徴とする釣竿。
【請求項２】
魚釣りに用いる釣竿であって、
竿体と、
前記竿体が貫通した状態で前記竿体の周面を軸方向に滑動自在に配置されるスライドリングと、
軸方向に間隔を隔てて前記竿体の周面に配置され固定されている複数の釣糸ガイドとを備え、
前記スライドリングは前記隣接する釣糸ガイド間に複数個配置されており、
前記隣接する釣糸ガイドは前記竿体周面に固定されるリング状の固定部を有し、
前記固定部と前記スライドリングは相互に当接する側にそれぞれ同極の磁性を有していることを特徴とする釣竿。
【発明の詳細な説明】
【０００１】
【発明の属する技術分野】
本発明は、魚釣りに用いる釣竿、特に、リールからの釣糸を案内する釣糸ガイドを竿体の外周面に有する外通し竿に関する。
【０００２】
【従来の技術】
従来の外通し竿と呼ばれるタイプの釣竿は、一般には、複数の筒状の竿体を連結して構成されている。例えば、穂先側の竿体から順次竿元側の竿体内に挿入可能になっている振出形式や、個々の竿体を順次連結する並継形式などで、各竿体が連結されている。また、このような竿体の周面には複数の釣糸ガイドが装着され、リールからの釣糸が順次この釣糸ガイドを挿通して穂先側に案内されている。
【０００３】
【発明が解決しようとする課題】
このような外通し竿において生じる問題として指摘されてきたものの１つとしては、釣糸の竿体周面へのべたつき現象が挙げられる。水際で用いられる釣竿は、水しぶきを浴びて若しくは雨天時に於ける雨により竿体の周面に水が附着することもあり、また、水中に投じられる釣糸には水が附着していることが多い。このため、釣糸が釣糸ガイドと釣糸ガイドとの間で弛んだ際に、竿体の周面に釣糸が付着してしまい、釣糸のリールへの巻き取りや繰り出しが円滑に為し得なくなる恐れがある。
【０００４】
このような釣糸のべたつきを抑える為に様々な工夫が提案されてきたが、何れも完全なものではなくさらなる改良が求められている。
本発明の課題は、釣糸の竿体周面への付着を良好に防止できる釣竿を提供することにある。
【０００５】
【課題を解決するための手段】
発明１の釣竿は、魚釣りに用いる釣竿であって、竿体と、竿体が貫通した状態で竿体の周面を軸方向に滑動自在に配置されるスライドリングと、軸方向に間隔を隔てて前記竿体の周面に配置され固定されている複数の釣糸ガイドとを備え、前記スライドリングは前記隣接する釣糸ガイド間に複数個配置されており、前記複数のスライドリングは相互に当接する側にそれぞれ同極の磁性を有していることを特徴とする。
【０００７】
この釣竿では、複数のスライドリングが釣糸ガイド間に配置されており、より効果的に竿体周面への釣糸のべたつきを抑える。特に、この複数のスライドリングは相互の隣接する側にそれぞれ同極の磁性を有しており、近接すると相互に反発して竿体周面で一定の軸方向距離を保つ。そして、適度な軸方向間隔でそれぞれのスライドリングが釣糸の竿体へのべたつきを抑える。
【０００８】
発明２の釣竿は、隣接する釣糸ガイドは竿体周面に固定され
魚釣りに用いる釣竿であって、竿体と、前記竿体が貫通した状態で前記竿体の周面を軸方向に滑動自在に配置されるスライドリングと、軸方向に間隔を隔てて前記竿体の周面に配置され固定されている複数の釣糸ガイドとを備え、前記スライドリングは前記隣接する釣糸ガイド間に複数個配置されており、前記隣接する釣糸ガイドは前記竿体周面に固定されるリング状の固定部を有し、前記固定部と前記スライドリングは相互に当接する側にそれぞれ同極の磁性を有していることを特徴とする。
この釣竿では、釣糸ガイドの固定部にもスライドリングと同極の磁性が付与されており、スライドリングは釣糸ガイドに近接すると相互に反発する。そして、適度な軸方向間隔を維持して釣糸の竿体へのべたつきを抑える。
【００１０】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に順次振出形式で連結される、元上竿２，中竿３及び穂先竿４とを有している。これら元竿１〜穂先竿４は炭素繊維またはガラス繊維等に合成樹脂を含浸させたプリプレグから形成される先細り筒状部材であって、元上竿２〜穂先竿４は穂先側から順次竿元側の竿体の内部に挿入され出し入れ自在である。
【００１１】
元竿１は、外周面に形成されリール６を脱着自在に装着可能なリールシート５を有し、竿元側端部には尻栓７が脱着自在に装着されている。元上竿２〜穂先竿５は順次元竿１の穂先側に連結される竿体である。これらの竿体の周面には釣糸ガイド８が軸方向に一定の間隔を隔てて配置されている。
この釣糸ガイド８としては、各竿体の穂先側端部に於いて軸方向に移動不能に固定されている固定ガイド８ａと、その竿元側に各竿体上を軸方向にスライド移動可能に配置されているスライドガイド８ｂとがある。それぞれの釣糸ガイド８が竿体周面に固定されるリング状の固定部と、固定部から起立した脚部と、脚部の頭端にはめ込まれたセラミックス等の硬質部材からなるガイドリングを有する。固定ガイド８ａはその固定部が竿体の周面に移動不能に固定されている。スライドガイド８ｂは、そのリング状の固定部が竿体の所定の軸方向位置で（その竿体のテーパを利用して）固定可能であり、その所定位置より穂先側に向かって軸方向に移動自在となっている。そして、各竿体を収納する場合には、スライドガイド８ｂを順次穂先側にスライド移動させて、各竿体を竿元側の竿体に収納する。一方、使用時には、各スライドガイド８ｂを竿元側にスライド移動させて、所定の軸方向間隔で各スライドガイド８ｂを各竿体の周面に固定する。
【００１２】
このような各釣糸ガイド８の間にはそれぞれスライドリング１０が軸方向にスライド移動可能に配置されている。図２に示すように、例えば、元上竿２の周面に配置される隣接する釣糸ガイド８の間にスライドリング１０が配置される。中竿３や穂先竿４に於いてもスライドリング１０を配置可能であるが、穂先側の小径の柔らかい竿体にあっては、スライドリング１０の重さが竿体の調子に影響を与える恐れがあり、この点に配慮する必要がある。このスライドリング１０は元上竿２の外径より大きい内径を有するリング状の部材である。例えば、竿体との径差が0.1〜3.5mm程度のリングであって、チタン，アルミニウム、ステンレス等の金属またはポリカーボネイト等の硬質合成樹脂から構成される。
【００１３】
このような釣竿では、各竿体を穂先側に引き出した上で、各竿体の周面上に配置されたスライドガイド８ｂ及びスライドリング１０を順次竿元側にスライド移動させ、スライドガイド８ｂを所定位置で竿体の周面に固定して釣りを行う。例えば、仕掛けを水中に投じるキャスティング時やジギング，魚の巻きあげ時等において竿体を振り上げる作業を行うと、固定した各釣糸ガイドの間に於いて各竿体周面に配置されているスライドリング１０が各竿体の周面の軸方向において前後にスライド移動する（図２参照）。そして、このスライドリング１０が釣糸ガイド８と隣接する釣糸ガイド８との間で弛んで各竿体周面に付着しがちな釣糸Ｌを竿体周面から持ち上げて引き剥がして、そのべたつきを抑える。また、スライドリング１０が竿体周面に付着している水をワイパーのように払い、釣糸のべたつきを予防することにもなる。
【００１４】
［第２実施形態］
以下、本発明の第２実施形態を採用した釣竿を説明する。
この釣竿も、上記第１実施形態と同様に複数の竿体を連結してなるものであり、竿体の周面には釣糸ガイドが軸方向に間隔を隔てて配置され固定されている。例えば、図３に示すように、元上竿２の周面には軸方向に間隔を隔てて複数の釣糸ガイド１８が配置されており、この隣接する釣糸ガイド１８の間にスライドリング２０が複数個配置されている。具体的には、スライドリング２０は元上竿２が貫通した状態で元上竿２の周面を軸方向にスライド移動自在に配置されている。
【００１５】
このスライドリング２０は竿体の軸方向に於いて２つに磁性的に分けられており、それぞれ異なる磁極を有する。そして、隣接するスライドリング２０同士においては、隣接する側が同磁極である。例えば、図３に示すように、１つのスライドリング２０が竿元側においてＳ極を備える場合は、その竿元側に隣接して配置される他のスライドリング２０の穂先側の磁極もＳ極となる。
【００１６】
さらに、この釣竿の釣糸ガイド１８のリング状の固定部１９も、上述のスライドリング２０と同様に磁極を有する。例えば、図３に示すように、１つのスライドリング２０が竿元側においてＮ極を備える場合は、その竿元側に隣接して配置される釣糸ガイド１８の固定部１９の穂先側もまたＮ極となる。
この釣竿では、複数のスライドリング２０が釣糸ガイド１８間に配置されており、それぞれが効果的に竿体周面への釣糸Ｌのべたつきを抑える。特に、この複数のスライドリング２０は相互の隣接する側にそれぞれ同極の磁性を有しており、図４にも示すように、近接すると相互に反発して竿体周面で一定の軸方向距離を保つ。さらに、釣糸ガイド１８の固定部１９にもスライドリング２０と同極の磁性が付与されており、スライドリング２０は釣糸ガイド１８に近接すると相互に反発する。そして、適度な軸方向間隔を維持して釣糸の竿体へのべたつきを抑える。さらに、スライドリング２０同士及び釣糸ガイド１８との相互の接触を回避することで相互の破損し合うこともなく不快な音も発生しない。
【００１７】
［第３実施形態］
以下、本発明の第３実施形態について説明する。
図５及び図６に示すように、本発明の第３実施形態を採用した釣竿の竿体の周面に装着されているスライドリング３０は、上記各実施形態と同様に、釣糸ガイドと隣接する釣糸ガイドとの間において釣竿の竿体の周面を軸方向にスライド移動自在に、竿体が貫通した状態で、竿体の周面に配置されている。
【００１８】
このスライドリング３０はリング状の本体部３１と本体部３１の内周面側に配置されたスポンジ部３２を有している。本体部３１は上記実施形態と同様に金属または硬質合成樹脂から形成される。スポンジ部３２は液体を含浸可能なものであれば周知の素材を用いて形成可能である。
このようなスライドリング３０を有する釣竿では、スライドリング３０のスポンジ部３２に周知の撥水剤を必要に応じて含浸させて使用する。釣り操作を行って竿体を振り上げる等すると、スライドリング３０が竿体の周面を軸方向にスライド移動して、その本体部３１が竿体周面にべたついた釣糸を引き剥がす。さらに、同時にスポンジ部３２が竿体周面に撥水剤を塗布してゆき、釣糸の竿体周面へのべたつきを防止する。
【００１９】
【発明の効果】
本発明の釣竿では、釣糸の竿体周面への付着を良好に防止できる。
【図面の簡単な説明】
【図１】本発明の第１実施形態を採用した釣竿の全体図。
【図２】図１の中竿３の一部を示した図。
【図３】本発明の第２実施形態を採用した釣竿の図２に相当する図。
【図４】図３の参考図。
【図５】本発明の第３実施形態を採用した釣竿のスライドリング３０を示した図。
【図６】図５のスライドリング３０の断面図。
【符号の説明】
１  元竿
２  元上竿
３  中竿
４  穂先竿
８，１８  釣糸ガイド
１９  釣糸ガイドの固定部
１０，２０，３０  スライドリング
【図１】
0003948709.tif 000002
【図２】
0003948709.tif 000003
【図３】
0003948709.tif 000004
【図４】
0003948709.tif 000005
【図５】
0003948709.tif 000006
【図６】
0003948709.tif 000007